(57)【要約】    【課題】  従来の凍結濃縮システムは、濃縮度を高める方法については十分な対策をしていなかった。    【解決手段】  冷凍部100、濃縮部200、希薄液収納部300から構成されているものであって、濃縮部200のタンク21内の原溶液24を、冷凍部100の製氷板４に散水しながら凍結濃縮をし、濃縮液22をタンク20内に貯め、砕氷14ａを分離板23を介して希薄液収納部300のタンク40内へ移送して貯える。タンク20内に貯められた濃縮液22を、再度下方部のタンク21内へ落して、その後製氷板４外面に散水して凍結濃縮操作を行ない、濃縮度を高める。【選択図】  図１
2006110416.tif 000002
【特許請求の範囲】
【請求項１】
圧縮機と凝縮器と減圧機構と製氷板とが循環路で連結され、前記循環路内部に冷媒が封入されてなる冷凍部と、原溶液を貯める原溶液用タンクと、濃縮液を貯める濃縮液用タンクと、希薄液収納部と、前記原溶液及び／又は前記濃縮液を前記製氷板に流下させる散液手段と、前記製氷板で氷結した希薄氷を適宜脱氷させる脱氷手段と、前記濃縮液タンクに前記希薄氷の氷結により生じた前記濃縮液を移送すると共に、前記希薄液収納部に前記希薄氷を移送する分離手段とを備えたことを特徴とする多段階凍結濃縮システム。
【請求項２】
前記分離手段が前記製氷板の直下の位置に目皿部を有し、この目皿部の下部に濃縮液用のタンクが設けられたことを特徴とする請求項１に記載の多段階凍結濃縮システム。
【請求項３】
前記分離手段が前記製氷板の直下から離れた位置に目皿部を有し、この目皿部の下方部に前記濃縮液用のタンクが設けられ、前記分離手段は、前記製氷部から落下する前記希薄氷と前記濃縮水を前記目皿部まで移送して、前記目皿部で両者を分離するよう構成されたことを特徴とする請求項１に記載の多段階凍結濃縮システム。
【請求項４】
前記原溶液用タンクと、前記濃縮液用タンクとが一体で形成され、その内部に前記原溶液と前記濃縮液とを分離できる移動板又は移動箱が設けられたことを特徴とする請求項１又は請求項２に記載の多段階凍結濃縮システム。
【請求項５】
前記製氷板を複数枚具備し、当該各製氷板の下方部にそれぞれ前記目皿部を介して、個別の前記濃縮液用タンクと、これに付随して個別の前記散液手段とが設けられ、前記製氷板と前記濃縮液用タンクと前記散液手段とから形成される一の濃縮経路を用いて濃縮された濃縮液が他の濃縮経路に移送されるよう構成されたことを特徴とする請求項２に記載の多段階凍結濃縮システム。
【請求項６】
圧縮機と凝縮器と減圧機構と製氷板とが循環路で連結され、前記循環路内部に冷媒が封入されてなる冷凍部と、前記製氷板の下部に個別に設けられた原溶液と濃縮液の貯液を兼用する兼用タンクと、前記兼用タンクの下方部に設けられた希薄液収納部と、前記原溶液及び／又は前記濃縮液を前記製氷板に流下させる散液手段と、前記製氷板で氷結した希薄氷を適宜脱氷させる脱氷手段とを備えたことを特徴とする多段階凍結濃縮システム。
【請求項７】
前記兼用タンクの側面が、前記製氷板から脱氷された前記希薄氷を前記希薄液収納部に移送させ易いようにした傾斜面で構成されていることを特徴とする請求項６に記載の多段階凍結濃縮システム。
【請求項８】
前記製氷板と前記兼用タンクとの間に、前記希薄氷と前記濃縮液とを分離する分離機構が設けられたことを特徴とする請求項６又は請求項７に記載の多段階凍結濃縮システム。
【請求項９】
前記分離機構は分離板とスライド板からなることを特徴とする請求項８に記載の多段階凍結濃縮システム。
【発明の詳細な説明】
【技術分野】
【０００１】
本発明はミルク、ジュース等の食品原料や、汚水等の原溶液を凍結濃縮法により、濃縮液（濃溶液）と希薄液に分離する凍結濃縮システムに関する。
【背景技術】
【０００２】
本発明に関連する発明としては、特許文献１、特許文献２、特許文献３なるものがある。
【０００３】
特許文献１では、第１氷蓄熱槽で排水を凍結解凍処理によって固形物の変性凝集と濃縮を行い、第２氷蓄熱槽で第１氷蓄熱槽からの浄化水を再度凍結解凍処理によって浄化水の浄化度アップと残留固形成分の濃縮を行う廃水処理装置が開示されている。
【０００４】
特許文献２では、凍結筒で溶剤を含有する水である溶液を冷却し、ブレードにより凍結筒内面から掻き落とされた氷粒と濃縮水を保冷タンクへ送り、保冷タンクに接続された流路の電磁弁を開放することにより濃縮水を排出する一方、保冷タンクの側面開口部に設けられたハッチを開放することで成長した氷を排出することにより、溶液の濃縮を行う凍結濃縮分離装置が開示されている。
【０００５】
特許文献３では、第１晶析槽，第２晶析槽で順に、被濃縮液中の水分を凍結して氷結晶を生成・分離し、第３晶析槽で種氷結晶を投入し、この種氷結晶に溶液中の水分を吸収させ、大粒径に成長させ、さらに成長した氷結晶を氷輸送用スロープを用いて第２晶析槽，第１晶析槽に順に送り、第２晶析槽，第１晶析槽内で生成された微細な氷粒を凝縮させてさらに氷結晶を成長させることにより、被濃縮液の濃縮を行う凍結濃縮システムが開示されている。
【特許文献１】特開２０００−２４６４５号公報
【特許文献２】特開２００３−２４５６５７号公報
【特許文献３】特開平９−２９９７０４号公報
【発明の開示】
【発明が解決しようとする課題】
【０００６】
しかし、上記特許文献１に開示された凍結濃縮システムでは、第１氷蓄熱槽から第２氷蓄熱槽へ浄化水を移送するには、氷が融解してからでないと移送できないという問題があった。とりわけ、回収冷熱を冷房等の熱源として利用する場合には、氷が融解するまでに時間がかかる。氷を速く溶かすことも可能であるが、その場合には、解凍処理するために熱併給装置から氷蓄熱槽に温熱を供給する必要があり、一度凍らせた排水を融解させるため多くの熱エネルギーを要する。
【０００７】
また、上記特許文献２に開示された凍結濃縮システムでは、凍結筒から保冷タンクへ氷粒と濃縮水を送り、間接冷却により保冷タンク内で氷粒を氷に成長させるため、冷却効率が悪いという問題があった。しかも、凍結筒のブレードや保冷タンクのハッチに駆動部を設ける必要があるため、構成が複雑になるという問題もあった。
【０００８】
そして、上記特許文献３に開示された凍結濃縮システムでは、第３晶析槽内から氷結晶を取り出し、第２晶析槽，第１晶析槽まで氷結晶を輸送する氷輸送用スロープを設ける必要があるため、装置が複雑化，大型化するという問題があった。
【０００９】
そこで本発明は上記各問題点に鑑み、比較的簡易な構成で、濃縮液と希薄液との濃度分離の度合いを大きくすること、すなわちできる限り濃縮液の濃度を濃く、一方希薄液の濃度を薄くする多段階凍結濃縮システムを提供することを目的とする。
【課題を解決するための手段】
【００１０】
本発明における請求項１の多段階凍結濃縮システムでは、圧縮機と凝縮器と減圧機構と製氷板とが循環路で連結され、前記循環路内部に冷媒が封入されてなる冷凍部と、原溶液を貯める原溶液用タンクと、濃縮液を貯める濃縮液用タンクと、希薄液収納部と、前記原溶液及び／又は前記濃縮液を前記製氷板に流下させる散液手段と、前記製氷板で氷結した希薄氷を適宜脱氷させる脱氷手段と、前記濃縮液タンクに前記希薄氷の氷結により生じた前記濃縮液を移送すると共に、前記希薄液収納部に前記希薄氷を移送する分離手段とを備えている。
【００１１】
本発明における請求項２の多段階凍結濃縮システムでは、前記分離手段が前記製氷板の直下の位置に目皿部を有し、この目皿部の下部に濃縮液用のタンクが設けられている。
【００１２】
本発明における請求項３の多段階凍結濃縮システムでは、前記分離手段が前記製氷板の直下から離れた位置に目皿部を有し、この目皿部の下方部に前記濃縮液用のタンクが設けられ、前記分離手段は、前記製氷部から落下する前記希薄氷と前記濃縮水を前記目皿部まで移送して、前記目皿部で両者を分離するよう構成されている。
【００１３】
本発明における請求項４の多段階凍結濃縮システムでは、前記原溶液用タンクと、前記濃縮液用タンクとが一体で形成され、その内部に前記原溶液と前記濃縮液とを分離できる移動板又は移動箱が設けられている。
【００１４】
本発明における請求項５の多段階凍結濃縮システムでは、前記製氷板を複数枚具備し、当該各製氷板の下方部にそれぞれ前記目皿部を介して、個別の前記濃縮液タンクと、これに付随して個別の前記散液手段とが設けられ、前記製氷板と前記濃縮液タンクと前記散液手段とから形成される一の濃縮経路を用いて濃縮された濃縮液が他の濃縮経路に移送されるよう構成されている。
【００１５】
本発明における請求項６の多段階凍結濃縮システムでは、圧縮機と凝縮器と減圧機構と製氷板とが循環路で連結され、前記循環路内部に冷媒が封入されてなる冷凍部と、前記製氷板の下部に個別に設けられた原溶液と濃縮液の貯液を兼用する兼用タンクと、前記兼用タンクの下方部に設けられた希薄液収納部と、前記原溶液及び／又は前記濃縮液を前記製氷板に流下させる散液手段と、前記製氷板で氷結した希薄氷を適宜脱氷させる脱氷手段とを備えている。
【００１６】
本発明における請求項７の多段階凍結濃縮システムでは、前記兼用タンクの側面が、前記製氷板から脱氷された前記希薄氷を前記希薄液収納部に移送させ易いようにした傾斜面で構成されている。
【００１７】
本発明における請求項８の多段階凍結濃縮システムでは、前記製氷板と前記兼用タンクとの間に、前記希薄氷と前記濃縮液とを分離する分離機構が設けられている。
【００１８】
本発明における請求項９の多段階凍結濃縮システムでは、前記分離機構は分離板とスライド板からなる。
【発明の効果】
【００１９】
本発明によると、濃縮液の濃度が高まり、一方希薄液の濃度が薄くなり、分離度合いが向上する。
【発明を実施するための最良の形態】
【００２０】
以下、添付図面を参照しながら、本発明における多段階凍結濃縮システムの好ましい各実施例を説明する。なお、同一箇所には同一符号を付し、共通する部分の説明は重複するため極力省略する。
【実施例１】
【００２１】
図１は本発明の一実施の形態の構成図である。主要構成は冷凍部100，濃縮部200，希薄液収納部300から構成されている。
【００２２】
冷凍部100は圧縮機１、凝縮器２、製氷板（蒸発器）４、アキュームレーター６、それらを循環路を構成するように連結するパイプ７，８，11，12、及び循環路の内部に封入されている冷媒（フロンなど）５から構成されている。圧縮機１により断熱圧縮された冷媒は、パイプ７を介して凝縮器２内に入り、ここで凝縮熱を放出して液化し、パイプ８，バルブ９を通って減圧機構（膨張弁）３を通る間に断熱膨張して低温度となり製氷板４内に入り、その周りを流下する液体22を冷却する。この製氷板４内に入った冷媒は蒸発しながらパイプ11を介してアキュムレーター６内に入り、気液分離された後、この蒸気はパイプ12を介して圧縮機１に戻される。
【００２３】
一方濃縮部200のタンク21内の原溶液24は、ポンプ32を駆動することにより、パイプ30を介して散水管31から製氷板４の外面に散水され、その面を流下する間に、製氷板４内を通るマイナス温度の冷媒５の冷力により冷却され固化を開始する。ここで、ポンプ32，パイプ30，散水管31が本実施例の散液手段に相当する。このように製氷板４の外面に原溶液24が流下し、これが固化する間に、原溶液24の内部の溶質は固化を開始した結晶（氷）14から押し出されて流下する液体14ｂ内に濃縮される。その後分離板23の一部を構成している目皿23ａを通過してタンク20内へ入り、そこに溜められる。このような操作によって、タンク21内の原溶液24は濃縮されて、タンク20内へ濃縮液22として貯えられる。
【００２４】
また適宜、冷凍部100のパイプ８部のバルブ９を閉め、パイプ７からパイプ８部に分岐接続されているパイプ13部のバルブ10を開くと、圧縮機１によって断熱圧縮された冷媒の高温蒸気がパイプ13、８を通って製氷板４内に一時的に入る。このような操作により、製氷板４は一時的にプラス温度に加熱され、その外面に結晶していた氷14は、製氷板４から離脱し、その下方部に落下しながら破片状の砕氷14ａとなる。すなわち、本実施例では、パイプ７からパイプ８部に分岐接続されているパイプ13，バルブ10，当該高温蒸気が脱氷手段に相当する。この砕氷14ａは目皿23ａ部で濃縮された濃縮液である液体14ｂと分離されて、斜めに配置された分離手段としての分離板23上を滑りながら下方部へ移動し、別置の希薄液収納部300のタンク40内へ落下する。このタンク40内の砕氷14ａの利用法の一例につき以下説明する。
【００２５】
タンク40は、その外部の熱交換器41とパイプ44，45，47とによって循環路を構成するように連結されていて、パイプ44部に設けてあるポンプ42を駆動するとタンク40内の希薄液14ｃはパイプ47，44、ポンプ42を通って熱交換器41部を通り、パイプ45を介してタンク40内へ戻される。このような操作により砕氷14ａは徐々に融解されて、その冷熱は熱交換器41に移送され、この冷熱は、空調やプロセス冷却に利用される。また、このような操作によって融解した希薄液14ｃはパイプ47部のバルブ46を開くことにより外部に排出され、原水や中水として有効に利用される。
【００２６】
このような凍結濃縮操作によって、タンク21内の原溶液24の一部は希薄液14ｃとしてタンク40内に、また濃縮液22としてタンク20内に貯えられ、タンク21内は空になる。タンク20内に貯えられた濃縮液22を更に濃縮する必要のある場合は、この濃縮液22をパイプ25、バルブ26、パイプ29を通してタンク21内へ戻す。その後ポンプ32を駆動することにより、パイプ30、散水管31を介して製氷板４に濃縮液22を流下させれば、更にタンク20内には濃縮された濃縮液22が集められる。このようにして濃縮度を向上した濃縮液22は、パイプ29に付いているバルブ26を閉め、パイプ25とパイプ28間に付いているバルブ27を開くことによりパイプ28から外部へ排出され、所望の濃縮液22として有効に利用される。
【００２７】
一方タンク40内の希薄液14ｃの希薄度を更に希薄化するにはタンク40とタンク21とを結んでいるパイプ49のバルブ48を開いて、タンク40内の希薄液14ｃをパイプ49を介してタンク21内へ移送する。今までと同様にしてポンプ32を駆動してタンク21内に移送した希薄液14ｃを製氷板４に流下させながら凍結濃縮させれば、分離板23を介してタンク40内へ希薄化された砕氷14ａが移送されて貯えられる。このような氷は融解しながら冷熱を利用した後、パイプ47部のバルブ46を開いて外部に排出し、目的とする希薄液14ｃとして利用される。希薄液14ｃが排水の場合は、排水基準を容易に突破することが可能となる。このような操作中に濃縮されたタンク20内の濃縮液22は、次回にその下方部のタンク21内へ新たに投入される原溶液24内に、パイプ25、バルブ26、パイプ29を介して混入して、次の凍結濃縮を行う原溶液24として利用される。
【実施例２】
【００２８】
図２は図１の変形実施例の構成図である。この実施例では製氷板４の直下の分離板23には目皿23ａは付いていず、製氷板４部から砕氷14ａと、液体14ｂが傾斜分離板23に落下した後、右側下方部に移動した途中に目皿23ａが設けてある。この目皿23ａの下方部にはタンク20が設けてあり、目皿23ａからこぼれ落ちた液体14ｂを貯めるようになっている。タンク20内に貯められた濃縮液22の濃度が所望の濃度に高まっている場合はパイプ28部のバルブ27を開いて外部に排出して利用する。所望の濃度に高まっていない場合は、パイプ25部のバルブ26を開いてタンク20内の濃縮液22をパイプ29を介してタンク21部へ移送し、その後製氷板４を用いて凍結濃縮操作を行う。一方分離板23を移動してタンク40内へ入った砕氷14ａの冷熱は、融解しながら、熱交換器41を介して利用される。このようにして利用されたタンク40内の希薄液14ｃが、所望の薄さに精製されていない時は、タンク20とタンク21を空にしておいた後、パイプ49部のバルブ48を開いて、パイプ49，29を介してタンク21内へ導入し、その後製氷板４を用いて凍結濃縮操作を行ない、さらに希薄化する。
【実施例３】
【００２９】
図３は図１の変形実施例の構成図である。これはタンク20とタンク21を同一のもので構成し、原溶液24と濃縮液22との間に分離用の移動板34（たとえばプラスチックなど）を設けたものである。移動板34の下部の原溶液24はポンプ32を駆動することにより、パイプ30，バルブ33を介して散水管31に導入され、ここから製氷板４に散水される。製氷板４の中に導入されるマイナス温度の冷媒によって、製氷板４外面に流下する原溶液24は製氷板４外面に氷結し始める。これによって氷結した氷14から溶質が液体側に押し出される。このようにして原溶液24は製氷板４に散水され流下する間に濃縮され、移動板34の上部に溜められる。移動板34の密度は原溶液24及び濃縮液22とほぼ同等の密度を有するものを選定するのがよい。この移動板34の材質は紙やビニール等の膜であってもよい。またこの水平状の移動板34の周縁に移動板34の上方向に対して垂直状に立てた縁を設けて箱状にし、その凹部に濃縮液22を貯めることができる移動箱34であると、その役目を好適に発揮することができる。
【００３０】
原溶液24をタンク20から抜き取る必要のある時は、タンク20の下部に設けてあるパイプ51に付いているバルブ50を開くことによって重力によって、外部に抜き取ることができる。また濃縮液22を途中で抜き取る必要のある時は、タンク20の上部に接続されているパイプ28部のバルブ27を開くことにより外部に取出すことができる。水中ポンプを利用して濃溶液22を外部に排水してもよい。また、移動板34が箱状の移動箱である場合には、移動箱34を外部に取り出して、その中の濃溶液22を外部に排出すればよい。
【実施例４】
【００３１】
図４は本発明の他の実施例の構成図である。これは複数枚の製氷板４，４ａ，４ｂの下部に、それらに対応したタンク20，20ａ，20ｂを設けたものである。
【００３２】
原溶液24を収納したタンク21にはパイプ30を設けて、その途中にポンプ32を設けて原溶液24をパイプ30を介して散水管31から製氷板４に散水して原溶液24をその外面に凍結させながら濃縮する。この過程で濃縮された濃縮液22は、その下方部のタンク20内に溜められる。タンク20にはパイプ30ａが設けてあり、この途中にポンプ32ａが設けてあり、このポンプ32ａを駆動するとタンク20内の濃縮液22はパイプ30ａを介して散水管31ａに導入され、ここから製氷板４ａに散水される。このような過程により濃縮液22は、さらに濃縮されて製氷板４ａの下方部のタンク20ａ内に濃縮液22ａとして貯えられる。タンク20ａにはパイプ30ｂが設けてあり、この途中に設けてあるポンプ32ｂを駆動することによりタンク20ａ内の濃縮液22ａはパイプ30ｂを介して散水管31ｂに導入される。この散水管31ｂより濃縮液22ａは製氷板４ｂに散水され、さらに凍結濃縮される。このような過程により、製氷板４ｂの下方部に設けてあるタンク20ｂには更に濃縮された濃縮液22ｂが貯えられる。タンク20ｂに貯えられた濃縮液22ｂの濃度が所望の濃度に達している場合は、タンク20ｂの下方部に設けてあるパイプ25、バルブ27を介してパイプ28から濃縮液22ｂは外部に排出される。所望の濃度に達していない時には、バルブ27を閉じ、パイプ25とパイプ29との間に設けてあるバルブ26を開いてタンク20ｂ内の濃縮液22ｂをタンク21内に導入して再度多段凍結濃縮を行う。
【実施例５】
【００３３】
図５は本発明の他の実施例の構成図である。これは製氷板４，４ａ，４ｂに対応して、それらの下方部に、それぞれタンク20，20ａ，20ｂを設け、これらのタンク20，20ａ，20ｂより、さらに下方部に希薄液14ｃを収納するためのタンク40を設け、原溶液24を収納するタンク21を省略したものである。タンク20，20ａ，20ｂが原溶液24の収納を兼用している。兼用タンクとしてのタンク20，20ａ，20ｂには、それぞれパイプ30，30ａ，30ｂが連結されていて、全てポンプ32に連なっていて、パイプ30を介して散水管31に接続されている。ポンプ32を駆動すると、タンク20，20ａ，20ｂ内の液体22はポンプ32を介して、パイプ30，散水管31から製氷板４，４ａ，４ｂに散水される。液体22は製氷板４，４ａ，４ｂを流下する間に凍結濃縮される。このような過程により、タンク20，20ａ，20ｂ内の液体22は徐々に濃縮されていく。製氷板４，４ａ，４ｂ面で氷結し、脱氷された砕氷14ａは、タンク20，20ａ，20ｂの外面を通り抜け、下方部のタンク40内へ集められる。このようにしてタンク20，20ａ，20ｂ内に濃縮液22が貯められ、タンク40内には氷14，砕氷14ａ，希薄液14ｃが集められる。
【００３４】
この実施例においてタンク20，20ａ，20ｂの外面は図示のように、その上方部が製氷板４，４ａ，４ｂに対して接近していて、製氷板４，４ａ，４ｂから脱氷された砕氷14ａをタンク40に移送させ易いように、下方部に末広がりな傾斜面を構成しておくと、砕氷14ａは好適にそれらの外面を滑りながら下方部のタンク40内へ落下する。
【実施例６】
【００３５】
図６は、図５に対する変形実施例の縦断面図であり、図７はその正面図である。これは製氷板４の下端部とタンク20との結合部分に特徴を有するものである。製氷板４の下端部に分離板60を設け、この分離板60の下方部にスライド板61を設け、分離板60とスライド板61とにより分離機構が形成されているものである。このスライド板61の一部は、タンク20内に臨ませた構成となっている。分離板60は製氷板４に平行で互いにそれらの端面を接触させてある。必要に応じてそれらの接触面は点付け溶着してもよい。脱水過程において、この分離板60の外面を滑り落ちる、砕氷14ａを、その下方部に移動させ易くするため、その下部にスライド板61が、分離板60に対して垂直方向に取り付けてある。このスライド板61は複数枚取付けるのがよい。
【００３６】
図８は図６のスライド板61周りの拡大図である。このスライド板61の端面は傾斜片61ａと垂直片61ｂとによって構成をされていて、傾斜片61ａの上端は分離板60の下端部と接触するように取付けてある。一方下方部の垂直片61ｂの一部は、下部のタンク20内に挿入されているが、この全部の区間を挿入するのではなく、垂直部の区間ａの部分はタンク20の上方部に設けることが重要である。この区間ａの距離は、傾斜片61ａの延長線Ｒよりも、タンク20の上端ｃが下方部に位置するように配置して決めるのが重要である。これは砕氷14ａがスライド板61の傾斜片61ａを滑り落ちて来る際、砕氷14ａの一部がタンク20の上端ｃに接触して、引っかかることがないようにするために重要なことである。
【００３７】
なお図６、図７、図８に示す、分離板60とスライド板61からなる、砕氷14ａと液体14ｂとを分離する構成は、凍結濃縮システム以外に、通常の製氷装置や氷蓄熱装置にも、そのまま適用できることは言うまでもない。
【図面の簡単な説明】
【００３８】
【図１】本発明の一実施例の構成図
【図２】図１の変形実施例の構成図
【図３】図１の変形実施例の構成図
【図４】本発明の他の実施例の構成図
【図５】本発明の他の実施例の構成図
【図６】図５に対する変形実施例の縦断面図
【図７】図６の平面図
【図８】図６のスライド板周りの拡大図
【符号の説明】
【００３９】
１  圧縮機
２  凝縮器
３  減圧機構
４  蒸発器（製氷板）
５  冷媒
７，８，11，12  パイプ（循環路）
10  バルブ（脱氷手段）
13  パイプ（脱氷手段）
14  氷（希薄氷）
14ａ  砕氷（希薄氷）
14ｂ液体（濃縮液）
20，20ａ，20ｂ  タンク（濃縮液用タンク）
21  タンク（原溶液用タンク）
23  分離板（分離手段）
23ａ  目皿
22，22ａ，22ｂ  濃縮液
24  原溶液
30，30ａ，30ｂ  パイプ（散液手段）
31，31ａ，31ｂ  散水管（散液手段）
32，32ａ，32ｂ  ポンプ（散液手段）
34  移動板（移動箱）
60  分離板（分離機構）
61  スライド板（分離機構）
100  冷凍部
200  濃縮部
300  希薄液収納部
【図１】
2006110416.tif 000003
【図２】
2006110416.tif 000004
【図３】
2006110416.tif 000005
【図４】
2006110416.tif 000006
【図５】
2006110416.tif 000007
【図６】
2006110416.tif 000008
【図７】
2006110416.tif 000009
【図８】
2006110416.tif 000010